(57)【要約】【課題】協働して画像を記録する複数の記録装置を効率よく制御して、それらの記録装置の機能を充分に発揮させることができる記録システムおよび記録方法を提供すること。【解決手段】画像データを保管するための情報処理装置１０１と、記録装置１０５，１０６のそれぞれに接続される情報処理装置１０３，１０４と、を備える。情報処理装置１０３は、情報処理装置１０１から受信した画像データに基づいて、記録装置１０５に対応する記録データを作成して、その作成した記録データを記録装置１０５に送信する。情報処理装置１０４は、情報処理装置１０１から受信した画像データに基づいて、記録装置１０６に対応する記録データを作成して、その作成した記録データを記録装置１０６に送信する。【選択図】図１
2008176560.tif 000002
【特許請求の範囲】
【請求項１】
記録データに基づいて記録動作する複数の記録装置の協働によって、記録媒体に画像を記録する記録システムにおいて、
前記記録媒体に記録すべき画像の画像データを保管するための第１情報処理装置と、
前記複数の記録装置のそれぞれに１対１に接続される複数の第２情報処理装置と、
を備え、
前記複数の第２情報処理装置のそれぞれは、
前記第１情報処理装置から前記画像データを受信する受信部と、
前記画像データに基づいて、当該第２情報処理装置に接続された前記記録装置に対応する前記記録データを作成する記録データ作成部と、
当該第２情報処理装置に接続される前記記録装置に対して、前記作成した記録データを送信する送信部と、
を含むことを特徴とする記録システム。
【請求項２】
前記複数の記録装置のそれぞれは、当該記録装置の配備位置に応じて前記記録媒体に対する記録領域が割り当てられ、
前記複数の第２情報処理装置のそれぞれにおける前記記録データ作成部は、当該第２情報処理装置に接続される前記記録装置の配備位置に関する情報に基づいて、当該第２情報処理装置に接続される前記記録装置に対応する前記記録データを作成する
ことを特徴とする請求項１に記載の記録システム。
【請求項３】
前記第１情報処理装置は、
前記画像データとしてビットマップデータまたはページ記述データの少なくとも一方を記憶する記憶部と、
前記画像データを前記複数の第２情報処理装置のそれぞれに送信する送信部と、
を含むことを特徴とする請求項１または２に記載の記録システム。
【請求項４】
前記複数の第２情報処理装置のそれぞれは、当該第２情報処理装置に接続される前記記録装置のステータス情報を前記第１情報処理装置に送信する送信部を含み、
前記第１情報処理装置は、
前記複数の第２情報処理装置を通して前記複数の記録装置のステータス情報を受信するための受信部と、
前記受信したステータス情報を表示する表示部と、
を含むことを特徴とする請求項１から３のいずれかに記載の記録システム。
【請求項５】
前記第１情報処理装置は、前記受信したステータス情報に応じて、前記複数の記録装置の記録動作を制限する制御部を含むことを特徴とする請求項４に記載の記録システム。
【請求項６】
前記複数の記録装置のそれぞれは、当該記録装置の配備位置に応じて前記記録媒体に対する記録領域が割り当てられ、
前記ステータス情報は、前記記録媒体の配備位置に関する情報を含む
ことを特徴とする請求項４または５に記載の記録システム。
【請求項７】
前記複数の第２情報処理装置のそれぞれは、前記第１情報処理装置から受信した前記画像データとしてのページ記述データをビットマップデータにラスタライズするためのデータ処理部を含むことを特徴とする請求項３から６のいずれかに記載の記録システム。
【請求項８】
前記複数の第２情報処理装置のそれぞれは、前記第１情報処理装置から受信した前記画像データを前記記録媒体の記録領域の大きさに応じて変倍可能な変倍処理部を含むことを特徴とする請求項１から７のいずれかに記載の記録システム。
【請求項９】
前記第１情報処理装置および前記複数の第２情報処理装置は、それぞれパーソナルコンピュータ形態の情報処理装置であることを特徴とする請求項１から８のいずれかに記載の記録システム。
【請求項１０】
記録データに基づいて記録動作する複数の記録装置の協働によって、記録媒体に画像を記録する記録方法において、
前記記録媒体に記録すべき画像の画像データを保管するための第１情報処理装置と、前記複数の記録装置のそれぞれに１対１に接続される複数の第２情報処理装置と、を用い、
前記複数の第２情報処理装置のそれぞれによって、前記第１情報処理装置から受信した前記画像データに基づいて、当該第２情報処理装置に接続された前記記録装置に対応する記録データを作成し、かつ、当該第２情報処理装置に接続された前記記録装置に対して前記作成した記録データを送信する
ことを特徴とする記録方法。
【発明の詳細な説明】
【技術分野】
【０００１】
本発明は、複数の記録装置の協働により、１枚の記録媒体に画像を記録するための記録システム、および記録方法に関するものである。
【背景技術】
【０００２】
本出願人は、産業用記録分野において大判の記録媒体に画像を記録する記録システムとして、先に、複数のラインプリンタ形態の記録装置を使用する記録システムを提案した（特許文献１）。この記録システムにおける複数の記録装置は、それぞれの配備位置に応じた記録データに基づいて独立的に記録動作することにより、協働して画像を記録する。
【０００３】
【特許文献１】特開２００５−３４２９６０号公報
【発明の開示】
【発明が解決しようとする課題】
【０００４】
上記の既提案の記録システムにおいて、１つのパーソナルコンピュータによって複数の記録装置を制御した場合、そのコンピュータには多大な負荷が掛かってしまう。例えば、そのコンピュータには、記録データの作成処理と、その記録データを記録装置毎に分割する分割処理と、それらの分割した記録データを対応する記録装置に転送する転送処理と、が求められる。
【０００５】
本発明の目的は、協働して画像を記録する複数の記録装置を効率よく制御して、それらの記録装置の機能を充分に発揮させることができる記録システムおよび記録方法を提供することにある。
【課題を解決するための手段】
【０００６】
本発明の記録システムは、記録データに基づいて記録動作する複数の記録装置の協働によって、記録媒体に画像を記録する記録システムにおいて、前記記録媒体に記録すべき画像の画像データを保管するための第１情報処理装置と、前記複数の記録装置のそれぞれに１対１に接続される複数の第２情報処理装置と、を備え、前記複数の第２情報処理装置のそれぞれは、前記第１情報処理装置から前記画像データを受信する受信部と、前記画像データに基づいて、当該第２情報処理装置に接続された前記記録装置に対応する前記記録データを作成する記録データ作成部と、当該第２情報処理装置に接続される前記記録装置に対して、前記作成した記録データを送信する送信部と、を含むことを特徴とする。
【０００７】
本発明の記録方法は、記録データに基づいて記録動作する複数の記録装置の協働によって、記録媒体に画像を記録する記録方法において、前記記録媒体に記録すべき画像の画像データを保管するための第１情報処理装置と、前記複数の記録装置のそれぞれに１対１に接続される複数の第２情報処理装置と、を用い、前記複数の第２情報処理装置のそれぞれによって、前記第１情報処理装置から受信した前記画像データに基づいて、当該第２情報処理装置に接続された前記記録装置に対応する記録データを作成し、かつ、当該第２情報処理装置に接続された前記記録装置に対して前記作成した記録データを送信することを特徴とする。
【発明の効果】
【０００８】
本発明によれば、画像データを保管する第１情報処理装置と、その画像データから複数の記録装置のそれぞれに対応する記録データを作成する複数の第２情報処理装置と、を用いることにより、それらの情報処理装置にデータの処理機能を分散させることができる。この結果、協働して画像を記録する複数の記録装置を効率よく制御して、それらの記録装置の機能を充分に発揮させることができる。
【発明を実施するための最良の形態】
【０００９】
以下、本発明の実施の形態を図面を参照して詳細に説明する。
【００１０】
図１は、本発明における記録システムの概略構成図である。
【００１１】
１０１は、記録すべき画像の画像データを保管するためのパーソナルコンピュータ形態の情報処理装置（第１情報処理装置）である。この情報処理装置１０１は、ネットワークハブ１０２を備える通信インターフェースを介して、パーソナルコンピュータ形態の複数の情報処理装置（第２情報処理装置）が接続されている。本例においては、第２情報処理装置として２つの情報処理装置１０３および１０４に接続されている。通信インターフェースとしては、ネットワークケーブル、ＵＳＢケーブル、無線ＬＡＮ等を採用することができる。本例においては、ネットワークケーブルを利用する。
【００１２】
情報処理装置１０３および１０４は、記録データを作成するためのパーソナルコンピュータ形態の情報処理装置であり、それぞれ個別の通信インターフェースを介して、インクジェット記録装置１０５と１０６に記録データを転送する。通信インターフェースとしては、ネットワークケーブル、ＵＳＢケーブル、ＩＥＥＥ１２８４等を採用することができる。本例においては、ＵＳＢケーブルを利用する。情報処理装置１０１は、オペレーティングシステムの制御下において、記録ジョブの管理等を行うアプリケーション（プログラム）を実行し、情報処理装置１０３，１０４は、記録データの作成等を行うアプリケーション（プログラム）を実行する。本例においては、オペレーティングシステムとして「Windows（登録商標）」を用いる。
【００１３】
記録装置１０５、１０６は、それぞれ独立したエンジンとしてのプリントモジュールであり、図１中の矢印方向に搬送される記録媒体Ｐの記録面と対向するように、記録媒体Ｐの搬送経路上の任意の位置に配備される。本例の場合、記録装置１０５，１０６は、記録媒体Ｐの幅方向（図１中の左右方向）にずれて配備されている。記録媒体Ｐは、後述するように、媒体搬送装置２０９（図２参照）によって図１中の矢印方向に搬送される。
【００１４】
本例の記録装置１０５，１０６は、吐出口からインクを吐出可能なインクジェット記録ヘッドを備えた記録装置である。その記録ヘッドとして、イエロー（Ｙ）、マゼンタ（Ｍ）、シアン（Ｃ）、ブラック（Ｋ）のインクを吐出するための４つの記録ヘッド１０７（１０７Ｙ，１０７Ｍ，１０７Ｃ，１０７Ｋ）が備えられている。それらの記録ヘッド１０７における吐出口は、記録媒体Ｐの幅方向に沿って並ぶように複数形成されており、これにより、記録媒体Ｐの幅方向に沿って延在するノズル列が形成されている。
【００１５】
記録装置１０５，１０６は、対応する情報処理装置１０３，１０４から受信する記録データに基づいて、記録ヘッド１０７からインクを吐出することによって、フルカラーの画像を記録することができる。つまり、これらの記録装置１０５，１０６は、後述するように、それらの配備位置に応じた記録データに基づいて独立的に記録動作することにより、記録媒体Ｐ上に協働して画像を記録する。記録ヘッド１０７は、インクを吐出するためのエネルギー発生手段として、電気熱変換体（ヒータ）やピエゾ素子などを用いることができる。本例の記録ヘッド１０７は電気熱変換体を用いた構成となっており、その電気熱変換体の発熱によりインクを発泡させて、その発泡エネルギーを利用することにより、吐出口からインクを吐出することができる。
【００１６】
図２は、図１のプリントシステムの概略ブロック構成図である。
【００１７】
パーソナルコンピュータ形態の情報処理装置１０１，１０３，１０４のそれぞれは、ＣＰＵ１０１Ａ，１０３Ａ，１０４Ａによって、後述するアプリケーション（プログラム）を含む制御処理やデータ処理等を実行する。ＲＯＭ１０１Ｂ，１０３Ｂ，１０４Ｂには、それらの処理手順等のプログラムが格納され、ＲＡＭ１０１Ｃ，１０３Ｃ，１０４Ｃには、それらの処理を実行するためのワークエリア、およびデータの格納エリアなどとして用いられる。また、データを格納するために、不図示のハードディスク等の記憶装置も備えられている。Ｉ／Ｏ装置１０１Ｄ，１０３Ｄ，１０４Ｄとして、図１のようなディスプレイＤ、キーボードＫ、およびマウスＭなどが接続されている。
【００１８】
通信インターフェース１０１Ｅ，１０３Ｅ，１０４Ｅとネットワークハブ１０２を通して、後述するように、情報処理装置１０１，１０３の相互間、および情報処理装置１０１，１０４の相互間の通信が行われる。また通信インターフェース１０３Ｅ，１０４Ｅを通して、後述するように、情報処理装置１０３と記録装置１０５との相互間、および情報処理装置１０４と記録装置１０６との相互間の通信が行なわれる。記録装置１０５および１０６には、後述するように、媒体搬送装置２０９からの同期信号が入力される。
【００１９】
本例の記録装置１０５，１０６は、それぞれ図３のような独立したプリントモジュールＭとして構成されている。プリントモジュールＭは、記録ヘッド１０７を含むプリントユニットＹ１と、インクタンクを含むインク供給ユニットＹ２と、によって構成されている。
【００２０】
プリントユニットＹ１には、記録ヘッド１０７と、記録ヘッド制御回路２１０（図４参照）と、が組み込まれている。さらにプリントユニットＹ１には、後述するように、記録ヘッド１０７をキャッピング可能なキャップと、そのキャップを動作させるための機構と、その機構を制御するための制御部と、を組み込んでもよい。一方、インク供給ユニットＹ２にはインク供給系が組み込まれており、そのインク供給系は、４つの記録ヘッド１０７（１０７Ｙ，１０７Ｍ，１０７Ｃ，１０７Ｋ）のそれぞれに供給するためのインクを収容するインクタンクを含む。それらのインクタンクは、外部のメインインクタンクからインクが補給されるものであってもよい。また、インク供給ユニットＹ２には、プリントモジュールＭ毎の電源回路などを備えてもよい。プリントユニットＹ１とインク供給ユニットＹ２との間には、信号線および電源線を含む配線と、インク流路を形成するパイプが接続されている。
【００２１】
図４は、記録装置１０５としてのプリントモジュールＭの制御系のブロック構成図であり、記録装置１０６も同様に構成されている。
【００２２】
ＣＰＵ２０５は、記録装置１０５の全体の動作を制御するための制御部を構成する。このＣＰＵ２０５は、バスを介して、メモリコントローラ２０２、インターフェースコントローラ２０３、プログラムＲＯＭ２０４、ワークＲＡＭ２０６、ＥＥＰＲＯＭ２０７、記録ヘッド制御回路２１０、およびＩ／Ｏポート２１２に接続されている。
【００２３】
メモリコントローラ２０２は、記録データを格納するためのメモリとしてのＶＲＡＭ２０１に接続されている。このメモリコントローラ２０２は、ＣＰＵ２０５の制御下において、ＶＲＡＭ２０１に対して記録データの書き込みを行なうと共に、同期化回路２０８の出力信号に同期して、ＶＲＡＭ２０１から記録データの読み出しを行なう。同期化回路２０８は、記録媒体Ｐを図１中の矢印方向に搬送するための搬送装置２０９に接続されており、その搬送装置２０９による記録媒体Ｐの搬送動作に同期する同期信号を生成して、その同期信号をメモリコントローラ２０２に出力する。搬送装置２０９は、複数の記録装置（本例の場合は、２つの記録装置１０５，１０６）に共有される１つの搬送装置として構成することができ、あるいは、個々の記録装置に対応する複数の搬送装置を連動させるように構成することもできる。搬送装置２０９は、要は、複数の記録装置の協働によって画像が記録される記録媒体Ｐを搬送することができればよい。
【００２４】
インターフェースコントローラ２０３は、ＣＰＵ２０５の制御下において、情報処理装置１０３と通信インターフェース（本例の場合は、ＵＳＢケーブル）を介してデータの通信を行なう。プログラムＲＯＭ２０４は、記録装置１０５の動作を実現するためのコンピュータプログラムを格納する不揮発性のメモリである。ワークＲＡＭ２０６は、ＣＰＵ２０５によって利用されるワーク領域と、データの一時記憶領域と、を提供する読み書き可能なメモリである。ＥＥＰＲＯＭ２０７は再書込みが可能な不揮発性メモリであり、例えば、ユーザによる設定データなどを不揮発的に記録するために利用される。
【００２５】
記録ヘッド制御回路２１０は、ＣＰＵ２０５の制御下において、メモリコントローラ２０２からの記録データを受信し、４つの記録ヘッド１０７（１０７Ｙ，１０７Ｍ，１０７Ｃ，１０７Ｋ）のそれぞれに対して対応する記録データを転送する。Ｉ／Ｏポート２１２は、ＣＰＵ２０５の制御下においてモータ駆動部２１３に制御信号を出力し、モータ駆動部２１３は、その制御信号に基づいて、キャッピングモータ２１４やポンプモータ２１５を制御する。キャッピングモータ２１４は、記録ヘッドの回復動作等を行なうための動力源であり、その回復動作時においては、記録ヘッド１０７のインク供給路中に圧力を掛けて、記録ヘッド１０７の吐出口からインクが強制的に排出される。キャッピングモータ２１４は、記録ヘッド１０７の吐出口の形成面をキャッピング可能なキャップを動作させるための動力源である。
【００２６】
図５は、情報処理装置１０１上において、記録開始の要求、および記録装置別にエラー状況を表示するためのアプリケーション（プログラム）の動作時に、ディスプレイＤ（図１参照）に表示される画面３０１の一例の説明図である。図６（ａ）、（ｂ）は、そのアプリケーションの処理手順を説明するためのフローチャートである。
【００２７】
図５中の領域３０２には、情報処理装置１０１から出力する画像データに関するジョブ名が表示される。また領域３０３には、情報処理装置１０３、１０４から取得した記録装置のエラー状況が表示される。また領域３０４には、記録装置の記録動作を開始させるための記録開始ボタンが表示される。
【００２８】
情報処理装置１０１上において動作するアプリケーションは、図６（ａ）の記録開始の制限処理と、図６（ｂ）の記録開始処理を実行する。
【００２９】
図６（ａ）の記録開始の制限処理は、割り込み処理により一定間隔で実行され（ステップＳ４０１）、ステップＳ４０３およびＳ４０４の処理を記録装置の台数分（本例の場合は、２台分）繰り返す。ステップＳ４０３では、記録装置のステータス情報を取得して、それを領域３０３に表示する。そのステータス情報は、記録装置のエラー状況に関する情報を含む。エラーが発生している記録装置が存在した場合には、複数の記録装置の協働によって画像を記録することができない。そのため、エラーが発生している記録装置が存在した場合には、ステップＳ４０４において、記録動作の開始の要求ができないように、領域３０４に表示される記録開始ボタンの機能を制限する。
【００３０】
図６（ｂ）の記録開始処理は、ステップＳ４０５において、領域３０４に表示される記録開始ボタンが有効に操作されることにより実行され、ステップＳ４０７およびＳ４０８の処理を記録装置の台数分（本例の場合は、２台分）繰り返す。ステップＳ４０７では、情報処理装置１０１から情報処理装置１０３および１０４のそれぞれに画像データを送信し、ステップＳ４０８では、記録動作の開始を情報処理装置１０３および１０４上のアプリケーション（プログラム）に通知する。
【００３１】
図４中の領域３０２に表示されるジョブ名は、例えば、不図示の別画面から画像データやジョブ名等を指定して登録処理を行うことにより、リストに追加することができる。その登録処理においては、情報処理装置１０１の記憶装置にファイルを作成して、そのファイル上に、ジョブ名、画像データの名称、および、その他のジョブに関連する情報を書き込むことにより、ジョブと画像データとを関連付ける。これにより、領域３０４に表示される記録開始ボタンを操作したときに、指定したジョブに対応する画像データを検索して、その画像データを情報処理装置１０３および１０４に送信することができる。
【００３２】
図７（ａ）、（ｂ）は、情報処理装置１０３および１０４上のそれぞれにおいて動作するアプリケーション（プログラム）の処理を説明するためのフローチャートである。図７（ａ）はステータス情報処理であり、図７（ｂ）は記録データの作成、転送処理である。以下においては、情報処理装置１０３上において動作するアプリケーションの処理を代表して説明する。
【００３３】
図７（ａ）のステータス情報処理は、ステップＳ５０１にて、情報処理装置１０１上のアプリケーションからステータス情報の取得の要求を受けることにより実行される。すなわち、情報処理装置１０３は、それに接続されている記録装置１０５から、その記録装置１０５のステータス情報を取得して情報処理装置１０１に返す（ステップＳ５０２）。
【００３４】
図７（ｂ）の記録データの作成、転送処理は、ステップＳ５０３にて、情報処理装置１０１上のアプリケーションから記録開始の要求を受けることにより実行される。すなわち、まず、情報処理装置１０３に接続されている記録装置１０５の配備位置に関する情報（位置情報）を取得する（ステップＳ５０４）。記録装置１０５の位置情報を取得した後、情報処理装置１０１から受け取った画像データがページ記述データであるか否かを判別する（ステップＳ５０５）。情報処理装置１０１から受け取る画像データには、ビットマップ形式のデータ（ビットマップデータ）とページ記述データ（例えば、PostScriptデータ）とが含まれる。情報処理装置１０１から受け取った画像データがページ記述データの場合には、それをビットマップ形式のデータに変換するためのラスタライズ処理を行う（ステップＳ５０６）。そして、ビットマップ形式のデータに基づいて、後述するように、記録装置１０５の配備位置に対応する記録データを作成（ステップＳ５０７）する。そして、その記録データの生成が成功したことを条件として、その作成した記録データを記録装置１０５転送する（ステップＳ５０８，Ｓ５０９）。
【００３５】
記録装置１０５の位置情報の取得方法としては、例えば、記録装置１０５が自身の配備位置を認識している場合には、ステータス情報の取得時（ステップＳ５０２）に記録装置１０５から取得することが可能である。また、記録装置１０５が自身の配備位置を認識していない場合には、情報処理装置１０３にアプリケーション定義ファイルを作成し、そのファイル上に記録装置１０５の配備位置を固定的に設定しておくことが可能である。
【００３６】
ラスタライズ処理（ステップＳ５０６）においては、点の座標と、それを結ぶ線や面の方程式のパラメータ、および塗りつぶしなどの描画情報であるベクタ形式のデータを、色の付いた点の集合であるラスタデータに変換する。そのラスタライズ処理後のデータから、後述するように記録データを作成する。情報処理装置１０１から受け取った画像データがページ記述言語データでなく、ビットマップデータである場合には、ラスタライズ処理は行わずに、そのままのデータから記録データを作成する。
【００３７】
このように情報処理装置１０３，１０４は、それらに接続された記録装置１０５，１０６の配備位置に応じた記録データを作成する。以下においては、情報処理装置１０３による記録装置１０５の記録データの作成処理を代表して説明する。
【００３８】
図８は、図７中のステップＳ５０７の記録データの作成処理を説明するためのフローチャートである。
【００３９】
まず、記録可能な画像の最大幅に基づいて、記録画像のサイズをチェックする（ステップＳ６０１）。その記録可能な画像の最大幅は、本例のように、複数の記録装置を記録媒体の幅方向に並べて配備する場合には、（記録装置の記録幅）×（記録装置の配備数）となる。記録画像のサイズが、このような記録可能な画像の最大幅を越えている場合にはサイズエラーとなる。サイズエラーの場合には、画像の変倍処理をするか否かを判定する（ステップＳ６０６）。記録画像の変倍処理（ステップＳ６０７）をする場合には、記録画像の幅が記録可能な画像の最大幅内に入るように、記録画像を縮小する。この変倍処理は必須ではなく、サイズエラーとして処理を終了してもよい。
【００４０】
記録画像のサイズが記録可能な画像の最大幅を越えていない場合には、バンティング処理を行う（ステップＳ６０２）。このバンティング処理は、以下のループ処理の負荷を軽減するために、画像データを所定のラスタ数分の画像領域（バンド）に分割するための処理である。但し、このバンディング処理は必須ではなく、画像データを１ページ分のデータとして処理するようにしてもよい。
【００４１】
バンディング処理の後に、分割されたバンド毎について、ステップＳ６０４、Ｓ６０５の処理を繰り返す。ステップＳ６０４では、バンド内の各画素のＲＧＢ値を記録装置用のＣＭＹＫ値、つまりシアン（Ｃ）、マゼンタ（Ｍ）、イエロー（Ｙ）、ブラック（Ｋ）のインクに対応する値に変換する（カラーマッチング処理）。次のステップＳ６０５では、その変換後のデータを複数の記録装置の配備位置に応じて分割し、これらの分割したデータの中から、図６のステップＳ５０４において取得した記録装置１０５の位置情報に対応するデータを取り出す。そして、その取り出したデータに記録コマンドを付加して、記録装置１０５の記録データを完成する。
【００４２】
本例の場合は、複数の記録装置が記録媒体の幅方向に並ぶように配備されているため、ステップＳ６０４における変換後のデータを記録媒体の幅方向に記録装置の配備数分だけ分割（縦割り）する。より具体的には、情報処理装置１０３は、記録装置１０５および１０６の配備位置に対応するように、ステップＳ６０４にて変換されたデータを縦割りに２つに分割し、それらのデータの内、記録装置１０５に対応するデータを取り出す。そして、その取り出したデータに記録コマンドを付加することによって、記録装置１０５の記録データを完成する。
【００４３】
本例のようにステップＳ６０２のバンディング処理を行った場合には、情報処理装置１０３は、このようなステップＳ６０３，Ｓ６０４の処理をバンド数分だけ繰り返すことによって、記録装置１０５の記録データを作成する。同様にして、情報処理装置１０４は、記録装置１０６の記録データを作成する。
【００４４】
（他の実施形態）
記録装置の配備数、配備位置、および１つの記録装置において用いる記録ヘッドの数などは任意であり、何ら、上述した実施形態のみに特定されない。要は、画像データを保管するための第１情報処理装置と、複数の記録装置のそれぞれに１対１に接続される記録データ作成用の複数の第２情報処理装置と、を用い、複数の記録装置の協働によって記録媒体に画像を記録することができればよい。複数の第２情報処理装置のそれぞれは、第１情報処理装置から画像データを受信する受信部と、その画像データに基づいて記録データを作成する記録データ作成部と、その作成した記録データを記録装置に送信する送信部と、を含めばよい。その記録データ作成部は、第２情報処置装置に接続された記録装置に対応する記録データを作成し、送信部は、その作成した記録データを第２情報処理装置に接続された記録装置、つまりその記録データに対応する記録装置に送信することができればよい。
【００４５】
また、複数の記録装置に対しては、それらの配備位置に応じて、記録媒体に対する記録領域を割り当てることができる。この場合、第２情報処理装置における記録データ作成部は、それに接続される記録装置の配備位置に関する情報に基づいて、その記録装置に対応する前記記録データを作成することができる。
【図面の簡単な説明】
【００４６】
【図１】本発明における記録システムの概略構成図である。
【図２】図１における記録システムの概略のブロック構成図である。
【図３】図１における記録装置の構成例を説明するための斜視図である。
【図４】図１における記録装置の制御系のブロック構成図である。
【図５】図１の画像データ保管用の情報処理装置上において動作するアプリケーションの表示画面の一例の説明図である。
【図６】（ａ）および（ｂ）は、図１の画像データ保管用の情報処理装置による記録開始の制限処理および記録開始処理を説明するためのフローチャートである。
【図７】（ａ）および（ｂ）は、図１の記録データ作成用の情報処理装置によるステータス情報処理および記録データの作成、転送処理を説明するためのフローチャートである。
【図８】図７の記録データ作成処理を説明するためのフローチャートである。
【符号の説明】
【００４７】
１０１  画像データ保管用の情報処理装置（第１情報処理装置）
１０３、１０４  記録データ作成用の情報処理装置（第２情報処理装置）
１０５、１０６  記録装置
１０７  記録ヘッド
２０９  媒体搬送装置
２１０  記録ヘッド制御回路
Ｐ  記録媒体
【図１】
2008176560.tif 000003
【図２】
2008176560.tif 000004
【図３】
2008176560.tif 000005
【図４】
2008176560.tif 000006
【図５】
2008176560.tif 000007
【図６】
2008176560.tif 000008
【図７】
2008176560.tif 000009
【図８】
2008176560.tif 000010